(57)【要約】【課題】ナビゲーション音声出力の際に、ＣＤ、ＭＤ、ＤＶＤ、テレビ放送、ラジオ放送などの各種メディア夫々が「音量低減」、「消音」、「一時停止」又は「追いかけ再生」のいずれの状態をとるかをユーザが自由に設定することができる車載再生装置を提供する。【解決手段】各種メディア毎に「音量低減」、「消音」、「一時停止」、「追いかけ再生」を記録するテーブルＴＢを持つ再生方法調整部１１と、この再生方法調整部１１のテーブルＴＢに対して、「音量低減」、「消音」、「一時停止」、「追いかけ再生」を設定する入力部１３とを備える。これにより、ナビゲーション音声出力の際に、各種メディア夫々が「音量低減」、「消音」、「一時停止」又は「追いかけ再生」のいずれの状態をとるかをユーザが自由に設定することが可能となり、ユーザに快適なメディア再生環境を提供することができる。【選択図】図１
2006118877.tif 000002
【特許請求の範囲】
【請求項１】
各種メディアを再生する再生手段と、
経路を案内するときに案内地点毎にナビゲーション音声を再生するナビゲーション手段と、
前記各種メディア夫々に対して、音量低減、消音、一時停止、追いかけ再生の内の少なくとも１つの処理を設定可能とする設定手段と、
前記各種メディア夫々に対して設定された処理を記憶する記憶手段と、
前記ナビゲーション音声再生時に、前記記憶手段を参照して、現在再生されているメディアに対して音量低減、消音、一時停止、追いかけ再生のうち予め設定されている処理を行う再生制御手段と、
を備える車載再生装置。
【請求項２】
経路を案内するときに案内地点毎にナビゲーション音声を再生するナビゲーション機能と、各種メディアを再生する再生機能とを備えた車載再生装置のメディア再生方法において、
前記各種メディア夫々に対して、音量低減、消音、一時停止、追いかけ再生の内の少なくとも１つの処理を設定して、各設定処理を記憶し、ナビゲーション音声再生時に、現在再生されているメディアに対して音量低減、消音、一時停止、追いかけ再生のうち予め設定されている処理を行う車載再生装置のメディア再生方法。
【発明の詳細な説明】
【技術分野】
【０００１】
本発明は、走行経路を案内するナビゲーション機能と、音楽、テレビ放送及びラジオ放送の音声を出力する機能とを備えた車載再生装置及び車載再生装置のメディア再生方法に関する。
【背景技術】
【０００２】
従来、ＡＶ（Audio and Visual）再生機能を備えたカーナビゲーション装置には、ナビゲーションの道案内音声（以下、ナビゲーション音声という）と、ＣＤ（Compact Disk）、ＭＤ（Mini Disk）、ＤＶＤ（Digital Versatile Disk）、ラジオ放送、テレビ放送等の各種メディアの音声出力とを調整して発音させる機能を備えたものがある（例えば、特許文献１参照）。
【０００３】
特許文献１で開示されている車載用マルチメディアシステムでは、ナビゲーション音声を再生する際に、ＣＤ、ＭＤ、ＤＶＤ等の音声記録媒体が再生されていれば、その再生を一時的に停止させてナビゲーション音声を再生させ、ナビゲーション音声再生終了後、一時停止を解除して音声記録媒体の再生を再開する。一方、ラジオ放送やテレビ放送の放送音声が出力されていれば、ナビゲーション音声の再生と同時に放送音声を第１録音装置に録音し、ナビゲーション音声再生が終了すると、第１録音装置に録音した放送音声を短時間（無音区間のスキップ、再生速度を速くする等）で再生する。また、第１録音装置による放送音声の再生と同時に放送音声を第２録音装置に録音し、第１録音装置の再生が終了した後、第１録音装置が再生している期間に放送された音声を第２録音装置が短時間再生する。この録音しては再生する方式は、いわゆる「追いかけ再生」と呼ばれるものである。
【０００４】
【特許文献１】特開２０００−２６６５５８号公報
【発明の開示】
【発明が解決しようとする課題】
【０００５】
しかしながら、従来の車載再生装置においては、ナビゲーション音声再生時に、ＣＤ、ＭＤ、ＤＶＤについてはその再生を一時的に停止し、テレビ放送やラジオ放送については放送音声を記録するようにしている。しかし、例えばＡＭラジオ放送は、音楽を流している時間よりもアナウンスしている時間の方が長いことから追いかけ再生する必要は無く、消音で十分である。これに対して、ＦＭラジオ放送は、アナウンスしている時間よりも音楽を流している時間の方が長く、かつＡＭラジオ放送よりも高音質であることから音量を下げることが好ましい。また、テレビ放送は、短時間での情報量が多いため、追いかけ再生が好ましい。また、ＣＤ、ＭＤ、ＤＶＤはユーザの好みに合った内容である可能性が高いので、一時停止が好ましい。このようにユーザの好みに応じてＣＤ、ＭＤ、ＤＶＤ、テレビ放送、ラジオ放送夫々について、「音量低減」、「消音」、「一時停止」、「追いかけ再生」が自由に設定できるものではなかった。
【０００６】
本発明は、係る事情に鑑みてなされたものであり、ナビゲーション音声再生時に、ＣＤ、ＭＤ、ＤＶＤ、テレビ放送、ラジオ放送などの各種メディア夫々が「音量低減」、「消音」、「一時停止」又は「追いかけ再生」のいずれの状態をとるかをユーザが自由に設定することができる車載再生装置及び車載再生装置のメディア再生方法を提供することを目的とする。
【課題を解決するための手段】
【０００７】
上記目的は下記構成及び方法により達成される。
本発明の車載再生装置は、各種メディアを再生する再生手段と、経路を案内するときに案内地点毎にナビゲーション音声を再生するナビゲーション手段と、前記各種メディア夫々に対して、音量低減、消音、一時停止、追いかけ再生の内の少なくとも１つの処理を設定可能とする設定手段と、前記各種メディア夫々に対して設定された処理を記憶する記憶手段と、ナビゲーション音声再生時に、前記記憶手段を参照して、現在再生されているメディアに対して音量低減、消音、一時停止、追いかけ再生のうち予め設定されている処理を行う再生制御手段と、を備える。
【０００８】
この構成により、ナビゲーション音声再生時に、ＣＤ、ＭＤ、ＤＶＤ、テレビ放送、ラジオ放送などの各種メディア夫々が「音量低減」、「消音」、「一時停止」又は「追いかけ再生」のいずれの状態をとるかをユーザが自由に設定できるので、ユーザに快適な音環境を提供することができる。
【０００９】
また、本発明の車載再生装置のメディア再生方法は、経路を案内するときに案内地点毎にナビゲーション音声を再生するナビゲーション機能と、各種メディアを再生する再生機能とを備えた車載再生装置のメディア再生方法において、前記各種メディア夫々に対して、音量低減、消音、一時停止、追いかけ再生の内の少なくとも１つの処理を設定して、各設定処理を記憶し、ナビゲーション音声再生時に、現在再生されているメディアに対して音量低減、消音、一時停止、追いかけ再生のうち予め設定されている処理を行う。
【００１０】
この方法により、ナビゲーション音声再生時に、ＣＤ、ＭＤ、ＤＶＤ、テレビ放送、ラジオ放送などの各種メディア夫々が「音量低減」、「消音」、「一時停止」又は「追いかけ再生」のいずれの状態をとるかをユーザが自由に設定できるので、ユーザに快適な音環境もしくは映像環境を提供することができる。
【発明の効果】
【００１１】
本発明の車載再生装置によれば、ナビゲーション音声再生時に、ＣＤ、ＭＤ、ＤＶＤ、テレビ放送、ラジオ放送などの各種メディア夫々が「音量低減」、「消音」、「一時停止」又は「追いかけ再生」のいずれの状態をとるかをユーザが自由に設定できるので、ユーザに快適なメディア再生環境を提供することができる。
【発明を実施するための最良の形態】
【００１２】
以下、本発明を実施するための好適な実施の形態について、図面を参照して詳細に説明する。
【００１３】
図１は、本発明の一実施の形態に係る車載再生装置の概略構成を示すブロック図である。この図において、本実施の形態の車載再生装置は、ＡＶ部１０（再生手段）と、再生方法調整部１１（記憶手段）と、再生制御部１２（再生制御手段）と、入力部１３（設定手段）と、ナビゲーション部１４（ナビゲーション手段）と、出力部１５と、録再生部１６とを備えている。
【００１４】
ＡＶ部１０は、ＣＤ、ＭＤ等の音声記録媒体からオーディオ音声を再生する音声再生装置１０Ａと、ＤＶＤ等の映像情報と音声情報とを含む映像・音声記録媒体から映像とオーディオ音声を再生するＡＶ再生装置１０Ｂと、ＦＭ・ＡＭラジオ放送、テレビ放送を受信して放送音声又は映像を出力する放送波受信装置１０Ｃとを備えて構成され、ユーザの操作によってオーディオ音声、映像又は放送音声を出力する。なお、本実施の形態では、ＣＤ、ＭＤ、ＤＶＤ、テレビ、ＦＭラジオ、ＡＭラジオをメディアと呼ぶ。
【００１５】
例えば、ユーザが好みのＣＤをＡＶ部１０の音声再生装置１０Ａにかけると、該ＣＤが再生されてオーディオ音声信号が出力される。音声再生装置１０ＡにＭＤをかけたときも同様である。ＡＶ再生装置１０ＢにＤＶＤがかけられた場合は、該ＤＶＤが再生されてオーディオ音声信号と映像信号が出力される。放送波受信装置１０Ｃにてラジオ放送を聴く操作が行われた場合は、放送音声信号が出力される。放送波受信装置１０Ｃにてテレビ放送を視聴する操作が行われた場合は、放送音声信号と映像信号が出力される。
【００１６】
ＡＶ部１０は、ユーザが選択したメディアを再生方法調整部１１に通知する。また、ＡＶ部１０は、オーディオ音声信号又は放送音声信号を再生制御部１２に入力する。再生方法調整部１１は、各メディア毎に「音量低減」、「消音」、「追いかけ再生」が設定されたテーブルＴＢを持っており、ＡＶ部１０よりユーザが選択したメディアの通知を受けると、このテーブルＴＢを参照して該当するデータとともにメディアの種類を再生制御部１２に通知する。なお、以降の説明では、ＣＤ、ＭＤ、ＤＶＤなどリアルタイムの放送ではないメディアは、追いかけ再生を設定すると、「一時停止」となる様に処理することとするが、もちろん「一時停止」と「追いかけ再生」は別々に設定できる様になっていてもよい。
【００１７】
ここで、図２は、上述したテーブルＴＢの一例を示す図であり、ＦＭラジオ放送に対して「追いかけ再生」、ＡＭラジオ放送に対して「消音」、ＣＤ及びＭＤに対して「音量低減」、ＤＶＤに対して「追いかけ再生」、テレビ放送に対して「消音」がそれぞれ設定されている。各メディアに対する「音量低減」、「消音」、「追いかけ再生」の設定は、入力部１３にて自由に行うことができるようになっている。例えば、ユーザが、各メディアに対して「音量低減」、「消音」、「追いかけ再生」を設定する操作を開始すると、ナビゲーション部１４の図示せぬディスプレイ上に図２に示すようなデータ表が描画される。ユーザは、ナビゲーション用の操作スイッチを操作して、各メディアに対する「音量低減」、「消音」、「追いかけ再生」を設定して行く。
【００１８】
再生制御部１２は、ＡＶ部１０からのオーディオ音声信号又は放送音声信号を出力部１５に入力する。また、オーディオ音声信号又は放送音声信号を出力部１５に入力している最中にナビゲーション部１４からナビゲーション音声が入力されると、現在選択されているメディアに応じて「音量低減」、「消音」又は「追いかけ再生」処理を行う。
【００１９】
例えば、現在選択されているメディアがＡＭラジオ放送又はテレビ放送であれば、ナビゲーション音声が入力されている間だけＡＭラジオ放送又はテレビ放送の放送音声信号に対して消音を行う（即ち音量が略ゼロになるように放送音声信号に対する減衰量を最大にする）。また、現在選択されているメディアがＣＤ又はＭＤであれば、ナビゲーション音声が入力されている間だけオーディオ音声信号を所定量だけ減衰させて音量を下げる。また、現在選択されているメディアがＦＭラジオ放送又はＤＶＤであれば、追いかけ再生を行う。（即ちナビゲーション音声が入力されている間だけ放送音声信号又はオーディオ音声信号を録再生部１６に入力して録音する。なお、ＤＶＤは一時停止させる。）
【００２０】
ナビゲーション音声が終了すると、録再生部１６にて録音された放送音声信号又はオーディオ音声信号が再生されて出力部１５に入力される。この際、従来と同様に「無音区間のスキップ」、「再生速度を速くする」等により短時間で再生するようにしても良い。また、録再生部１６を従来と同様の第１録音装置と第２録音装置の２つの録音装置で構成し、第１録音装置に録音した放送音声信号又はオーディオ音声信号を再生している最中に現在の放送音声信号又はオーディオ音声信号を第２録音装置に録音し、第１録音装置の再生が終了した後に、第２録音装置で録音した放送音声信号又はオーディオ音声信号を再生することも可能である。
【００２１】
ナビゲーション部１４は、運転席近傍に設けた図示せぬディスプレイに道路地図や走行予定経路等のナビゲーション画像を表示し且つその表示画像を車両の移動に伴い変化させることにより、ユーザに対して走行案内を行う。そして、ナビゲーション画像の変化に対応して交差点での進路等の走行案内を音声で行い、さらにユーザが目的地や経路設定のための操作を行う際の操作案内を音声で行う。録再生部１６は、再生制御部１２より入力される放送音声信号又はオーディオ音声信号を録音し、また再生制御部１２からの指示により録音した放送音声信号又はオーディオ音声信号を再生する。
【００２２】
次に、上記構成の車載再生装置の動作について図３及び図４のフローチャートを参照して説明する。まずメディアの再生操作の有無を判定し（ステップＳ１０）、メディアの再生操作が無ければ、該操作が行われるまでこのステップを繰り返す。メディアの再生操作が有れば、再生操作されたメディアの種類を判定する（ステップＳ１１）。例えば、ＡＭラジオ放送を聴く操作が行われた場合はメディアの種類はＡＭラジオ放送となる。
【００２３】
再生操作されたメディアの種類を確認した後、該メディアに対応するデータ即ち「音量低減」、「消音」、「追いかけ再生」をテーブルＴＢより確認する（ステップＳ１２）。このようにして再生操作されたメディアの種類を確認した後、該メディアのオーディオ音声信号又は放送音声信号を出力する（ステップＳ１３）。この場合、ＣＤ、ＭＤ、ＤＶＤの場合はオーディオ音声信号であるので、その音声を出力する。一方、ＦＭラジオ放送、ＡＭラジオ放送、テレビ放送の場合は放送音声信号であるので、その音声を出力する。
【００２４】
再生操作されたメディアの音声出力を開始した後、何等かの操作が行われたかどうか判定し（ステップＳ１４）、何等かの操作（例えば、音量・音質調整など）が行われた場合は、その操作に応じた処理を行う（ステップＳ１５）。何等かの操作が行われていない場合又は何等かの操作が行われてその操作に応じた処理を行った後、音声出力中であるかどうか判定する（ステップＳ１６）。この判定において、例えばＡＭラジオ放送を継続して聴いている場合は次のステップに進み、ＡＭラジオ放送を聴かなくなった場合即ちステップＳ１４でＡＭラジオ放送をオフする操作が行われた場合はステップＳ１０に戻る。
【００２５】
例えば、ＡＭラジオ放送を継続して聴いている場合で次のステップ（ステップＳ１７）に移行すると、ナビゲーション音声の有無を判定する（ステップＳ１７）。この判定において、ナビゲーション音声が無い場合はステップＳ１３に戻り、ＡＭラジオ放送の放送音声を継続して出力する。これに対して、ナビゲーション音声が有る場合は「音量低減」か「消音」か「追いかけ再生（一時停止）」かを判定する（ステップＳ１８、ステップＳ２１、ステップＳ２４）。この判定においては、ステップＳ１２で得られたデータに基づいて行う。
【００２６】
すなわち、ＣＤ又はＭＤを聴いている場合は、データは「音量低減」になるので（図２のテーブルＴＢ参照）、ステップＳ１８からステップＳ１９に進んで、フラグＦ１を「１」に設定し、その後、ステップＳ２０で音量を所定量だけ下げる。また、ＡＭラジオ放送又はテレビ放送を聴いている場合は、データは「消音」になるので（図２のテーブルＴＢ参照）、ステップＳ２１からステップＳ２２に進んで、フラグＦ２を「１」に設定した後、ステップＳ２３で音量をゼロにする。また、ＦＭラジオ放送又はＤＶＤを聴いている場合は、データは「追いかけ再生」になるので（図２のテーブルＴＢ参照）、ステップＳ２４からステップＳ２５に進んでフラグＦ３を「１」に設定した後、ステップＳ２６で音声信号を録音する（又は、一時停止する）。この場合、ＦＭラジオ放送では放送音声信号、ＤＶＤではオーディオ音声信号となる。
【００２７】
ステップＳ２０又はステップＳ２３又はステップＳ２６の処理を行った後、ナビゲーション音声が終了したかどうか判定する（ステップＳ２７）。この判定において、ナビゲーション音声が終了していない場合はこのステップを繰り返し、ナビゲーション音声が終了した場合、フラグＦ１〜Ｆ３の値を判定する（ステップＳ２８、ステップＳ３１、ステップＳ３４）。フラグＦ１が「１」である場合は、ステップＳ２９でフラグＦ１の値を「０」に設定した後、ステップＳ３０で音量を元に戻す。すなわち、所定量だけ低減させていた音量を元の値に戻す。また、フラグＦ２が「１」である場合は、ステップＳ３２でフラグＦ２の値を「０」に設定した後、ステップＳ３３で音量を元に戻す。すなわち、ゼロにしていた音量を元の値に戻す。また、フラグＦ３が「１」である場合は、ステップＳ３５でフラグＦ３の値を「０」に設定した後、ステップＳ３６で録音した音声を再生する（又は、一時停止を解除する）。ステップＳ３０又はステップＳ３３又はステップＳ３６の処理を行った後、ステップＳ１４に戻り、上記同様の処理が行われる。
【００２８】
このように本実施の形態の車載再生装置によれば、ＣＤ、ＭＤ、ＤＶＤ、テレビ放送、ラジオ放送などの各種メディア毎に「音量低減」、「消音」、「追いかけ再生（一時停止）」を記録するテーブルＴＢを持つ再生方法調整部１１と、この再生方法調整部１１のテーブルＴＢに対して、「音量低減」、「消音」、「追いかけ再生（一時停止）」を設定する入力部１３とを備え、ナビゲーション音声再生時に、各種メディア夫々が「音量低減」、「消音」、「一時停止」又は「追いかけ再生」のいずれの状態をとるかをユーザが自由に設定することができるので、ユーザに快適なメディア再生環境を提供することができる。
【００２９】
なお、上記実施の形態においては、ＣＤ、ＭＤ、ＤＶＤ、テレビ放送、ラジオ放送などの各種メディアによって「音量低減」、「消音」、「一時停止」、「追いかけ再生」を変えるようにしたが、「音楽」か「アナウンス」かによって変えるようにしても良い。例えば、音楽に対して「音量低減」を設定し、アナウンスに対して「消音」を設定する。因みにアナウンスには「ニュース」、「英会話」、「落語」など、聞き漏らしたくないものがあるが、この種のものについては「追いかけ再生」を設定することも可能である。
【産業上の利用可能性】
【００３０】
本発明は、ナビゲーション音声出力の際に、ＣＤ、ＭＤ、ＤＶＤ、テレビ放送、ラジオ放送などの各種メディア夫々が「音量低減」、「消音」、「一時停止」又は「追いかけ再生」のいずれの状態をとるかをユーザが自由に設定できるといった効果を有し、ＡＶ再生機能を備えたカーナビゲーション装置などの車載再生装置への適用が可能である。
【図面の簡単な説明】
【００３１】
【図１】本発明の一実施の形態に係る車載再生装置の概略構成を示すブロック図
【図２】上記実施の形態に係る車載再生装置で用いられる「音量低減」、「消音」又は「追いかけ再生（一時停止）」を設定するテーブルの一例を示す図
【図３】上記実施の形態に係る車載再生装置の動作を説明するためのフローチャート
【図４】上記実施の形態に係る車載再生装置の動作を説明するためのフローチャート
【符号の説明】
【００３２】
１０  ＡＶ部（再生手段）
１０Ａ  音声再生装置
１０Ｂ  ＡＶ再生装置
１０Ｃ  放送波受信装置
１１  再生方法調整部（記憶手段）
１２  再生制御部（再生制御手段）
１３  入力部（設定手段）
１４  ナビゲーション部（ナビゲーション手段）
１５  出力部
１６  録再生部
【図１】
2006118877.tif 000003
【図２】
2006118877.tif 000004
【図３】
2006118877.tif 000005
【図４】
2006118877.tif 000006